(57)【要約】【課題】施工時におけるブチルゴムテープのべたつきや付着を効果的に防止し得る手段を提供し、高い水密性を維持しつつ網入りガラスの装着作業の能率を向上することにある。【解決手段】基テープｃ１の片面に粘着面４を設け、該粘着面４の略中央に沿って網入りガラスｂの厚さ以下の幅のオレフィンゴム層１を添着し、該オレフィンゴム層１の両側の粘着層４を露呈せしめて成り、基テープｃ１によりオレフィンゴム層１のべたつき付着を防止し、且つ良好な水密性と防錆性を維持する。【選択図】　　図１
2004035776.tif 000002
【特許請求の範囲】
【請求項１】
基テープの片面に粘着面を設け、該粘着面側の略中央に沿って網入りガラス厚さ以下の幅の狭いオレフィンゴム層を添着し、該オレフィンゴム層の両側の粘着面に粘着層を露呈せしめて成る網入りガラス用防錆保護テープ。
【請求項２】
幅１５ｍｍ〜３０ｍｍの基テープの片面に粘着面を設け、該粘着面の中央に沿って５ｍｍ〜１０ｍｍの幅で０．０５ｍｍ〜２ｍｍの厚みのオレフィンゴム層を設け、その両側に各々５ｍｍ〜１０ｍｍの幅の粘着層を設けて成る網入りガラス用防錆保護テープ。
【請求項３】
上記基テープは、粘着面と反対の面に金属膜層と、該金属膜層の上に合成樹脂層を重ね合わせて成る請求項２記載の網入りガラス用防錆保護テープ。
【請求項４】
上記基テープはポリエチレンテレフタレートから成る請求項２又は３記載の網入りガラス用防錆保護テープ。
【請求項５】
上記基テープは、金属膜層をアルミにて構成し、且つ合成樹脂層をポリエチレンテレフタレートから構成して成る請求項２乃至４の何れか一項記載の網入りガラス用防錆保護テープ。
【請求項６】
基テープの粘着面の中央に沿って添着したオレフィンゴム層の両側に露呈する粘着面に所定厚さのセパレータを貼着してなる請求項２乃至５の何れか一項記載の網入りガラス用防錆保護テープ。
【発明の詳細な説明】
【０００１】
【発明の属する技術分野】
本発明は主にガラス板に金網を内設した網入りガラスの周縁部のシールを行い、且つガラス板に内設された金網の錆を防止し、ガラス板の破損を防止するために用いる網入りガラス用防錆保護のテープに関する。
【０００２】
【従来の技術】
図７にて示すように、従来のアルミサッシの窓枠１００等に装着される網１０３入りガラス１０１は、外周縁の端面１０２に網１０３の線が露呈すると共に、該網１０３が挿通される細孔１０４もガラス１０１の端面１０２に露出している。よって防水用のパッキン１０５の劣化や施工ミス等により上記細孔１０４から雨水等が細孔から浸透すると、ガラス１０１内の網１０３が錆びる上、錆による網１０３の線材の膨張によりガラス１０１が割れてしまうという問題がある。
【０００３】
上記したように、従来の網入りガラス１０１は、外周縁部の端面から雨水や結露水等が浸入するため、シール性の良好なテープ状ブチルゴム１０５を網入りガラス１０１外周縁の端面１０２を被覆するように貼りつけて網入りガラス１０１周囲の細孔１０４から水が浸入することを防止している。
上記したように網入りガラス１０１外周縁の端面１０２にテープ状のブチルゴム１０５を付着した網入りガラス１０１は、同網入りガラス１０１の縁をアルミサッシの窓枠１００に形成されるガラス保持用の凹溝１０６内に装入してサッシの窓枠１００にガラスｂを装着している。
【０００４】
上記したように網１０３入りガラス１０１の外周面の水密を維持するパッキン１０５としては、粘着力に富みシール性の良好なテープ状ブチルゴムが使用される。しかし、ブチルゴムは未加硫な状態であるため、剥離紙付きの両面テープの如く巻回してロール状にした状態においてロール端部にブチルゴムが露呈する。よって、べたつき易いロールの端面に塵が付きやすく、さらに網入りガラスの装着作業中に手やガラス，窓枠サッシに付着するために塵等が付きやすく、汚れの処理に手間がかかることや作業能率が悪くなる等の問題があった。
【０００５】
【発明が解決しようとする課題】
上記した如き不具合を回避するために、従来のブチルゴムテープにおいては、端面に無水シリカの粉末を塗布して作業中のべたつきを防止したもの（特開平５−２５４４５号）があった。しかし、上記した程度の対策では、窓ガラスの周囲に貼り付けたブチルゴムテープをサッシの溝に嵌装する際等にシリカの粉末塗布が不十分だった部分においてブチルゴムが露呈してべたつきを防止することができず十分な作業性確保することは難しかった。
【０００６】
一方、テープ状のブチルゴムのべたつきを防止するためにブチルゴムテープのシートやテープの片面若しくは両面に離型シートを貼り付けて被覆することにより、作業中においてブチルゴムテープが手やサッシ等に付着することを防止するものがある（特開昭５２−７０１５９号，特開平７−１１２０３号）。
しかし、これらのものを、アルミサッシの窓枠内にブチルゴムテープを付着させた網入りガラスの外周縁部を嵌装する作業に利用すると、シートやテープの間からブチルゴムがはみだし、これがサッシやガラス、作業者の手に付着してしまう不具合を十分に解消できるとは言い難かった。
【０００７】
本発明の課題は、網入りガラスの外周部端面の防水性を保ちつつ、施工時におけるブチルゴムテープのべたつきや付着を効果的に防止し得る手段を提供しブチルゴムテープを用いた網入りガラスの装着作業の能率を向上することにある。
【０００８】
【課題を解決するための手段】
本発明の網入りガラス用防錆保護テープは、基テープの片面に粘着面を設ける。この粘着面の略中央に沿っては網入りガラス厚さ以下の幅のオレフィンゴム層、例えばブチルゴムやエチレン−プロピレンゴム，アタクチックポリプロピレンゴム等を付着している。
また、基テープに付着したオレフィンゴム層の両側には粘着剤からなる粘着層を露呈せしめてある。
上記した如く構成した網入りガラス用防錆保護テープは、網入りガラスの外周縁部の端面に貼着することにより、網入りガラスの端面が基テープの粘着面側の中央に貼り付けたオレフィンゴム層により全面的に被覆され、これによりガラス端面に沿って形成される網の露出部が全て閉塞されると同時に基テープは凹状に形成して包着される。
また、上記したオレフィンゴム層の幅は網入りガラスの厚さ以下の幅にしてあるので、同オレフィンゴム層が網入りガラスの周縁部端面からガラスの両面側にはみ出すことはない。
【０００９】
請求項２記載の網入りガラス用防錆保護テープは、幅１５ｍｍ〜３０ｍｍの基テープの片面に粘着面を設け、該粘着面の中央に沿って５ｍｍ〜１０ｍｍの幅で０．０５ｍｍ〜２ｍｍの厚みのオレフィンゴム層を設け、その両側に各々５ｍｍ〜１０ｍｍの幅の粘着層を設けて成るものである。また、通常の網入りガラスの厚さは６．８ｍｍのものと１０ｍｍのものとがある。
上記した寸法の範囲内にオレフィンゴムの幅と厚みと粘着面の寸法を設定することにより、オレフィンゴム層を網入りガラスの略中央に位置する網の細孔を確実に被覆し、且つ、オレフィンゴムの両側に設けた粘着層が網入りガラスの端面から両面に程よい寸法にて被着した状態となり、現在使用されている６．８ｍｍと１０ｍｍの厚さの網入りガラスの端面を最適な状態でシールすることができる。
【００１０】
尚、請求項３乃至５記載の網入りガラス用防錆保護テープは、発明の実施形態の欄にて合わせて説明する。
【００１１】
請求項６記載の網入りガラス用防錆保護テープは、基テープの粘着面側の中央に沿って添着したオレフィンゴムの両側に露呈する粘着面に所定厚さのセパレータを貼って成るものであるから、オレフィンゴムを巻回してロール状に成した際において、そのロールの側端面に露呈する部材がセパレータにて被覆された状態となる。よって、テープを使用する際に粘着面、及びオレフィンゴムの端面が塵や使用者の手が触れることを防止できるようになり、これによりオレフィンゴムの汚れを防止し、べたつきによる作業性の低下を回避できる。また、粘着層が空気に触れることがなくなるので、粘着面の粘着力の低下を防止できる。
【００１２】
【発明の実施の形態】
以下、本発明の一実施例を図面に基づいて説明する。
図１乃至図３は本発明を実施した網入りガラス用防錆保護テープの装着状態を示している。図中Ａはアルミサッシの窓枠Ａであり、ブチルゴムテープｃを装着した網入りガラスｂ四辺部の外周縁部位を嵌装する凹溝ａ１を形成してある。
一方、網入りガラスｂは、ガラスの厚さの中央位置に網ｂ１を縦横に配置して内設してある。よって、同網入りガラスｂの外周縁の端面ｂ２には上記網ｂ１の端ｂ１’と、同網ｂ１が装入される細孔ｂ３とが露呈することになる（図１）。尚、現在実際に製造されている網入りガラスは厚さが６．８ｍｍと１０ｍｍのものに限られている。また、網入りガラスの中には金属線が縦横、菱形に走るものの他に金属線が縦のみに走るものもある。本発明が対象とする金属網はこれらを含み、ガラス板内に金属線を通しているものであればどのようなものを用いてもよい。
【００１３】
図２−ａ〜ｃにて示すように、本発明の網入りガラス用防錆保護テープの基材、即ち基テープの素材としては、▲１▼アルミ層と剥離処理膜（剥離層）、▲２▼アルミ層若しくはステンレス層と合成樹脂、▲３▼剥離処理膜と合成樹脂、▲４▼合成樹脂とアルミ層、▲５▼背面処理と合成樹脂とアルミの組み合わせ等が考えられる。
本実施例の基テープｃ１としては、アルミ層３とＰＥＴ層２（合成樹脂層）とを一体的に付着して構成してある。
【００１４】
図２−ａにて示すように、本実施例のブチルゴムテープｃは、ブチルゴム層１とアクリル系粘着面４，アルミ層３，ＰＥＴ層２，剥離処理膜６から構成してある（図２−ａ）。
本実施例における基テープｃ１はアルミ層３とその背面側に密着せしめたＰＥＴ層２（合成樹脂層）とから構成してある。上記したアルミ層３は７０〜７５μのアルミの薄膜にて構成してある。尚、本発明においては、アルミ層以外の金属層、例えばステンレス等の金属膜にて構成してもよい。
【００１５】
薄膜状のアルミ層３の背面に付着するＰＥＴ層２、この場合合成樹脂層として、ポリエチレンテレフタレート、ポリブチレンテレフタレート、ポリエチレンナフタレート等のポリエステル、ポリエチレン、延伸ポリプロピレン、無延伸ポリプロピレン等を用いる。
これらの合成樹脂の中でも、例えばポリエチレン、ポリプロピレンと比較して表面硬度の高いポリエレチレンテレフタレート（ＰＥＴ）の樹脂層は、擦り傷等の発生を防止するので好ましい。
また、上記した如きＰＥＴ層２にはシリコーン系の処理剤を塗布して剥離処理膜６（剥離層）を成すことにより、ブチルゴムテープｃをロール状に巻回した際にブチルゴム層１との粘着を防止し、セパレータ（剥離シート等）を用いる必要もなくなり、取り扱いが良くなる。尚、上記した剥離処理膜６（剥離層）は必ず設ける必要はなく、その換わりに剥離シートを用いることも任意である。
【００１６】
上記した如く構成した基テープｃ１の粘着面４を構成する粘着剤としては耐候性を考慮するとアクリル系が好ましく、天然ゴム系、ウレタン系等は耐候性に問題があり好ましくない。
【００１７】
上記基テープｃ１の粘着面の中央部に沿ってはブチルゴム層１を添着してある（図２−ａ）。ブチルゴム層１は粘着面上において幅５ｍｍ〜１０ｍｍ厚さ０．０５〜２ｍｍ程度突出させる。これによりブチルゴム層１の左右両側部にはブチルゴム以外の粘着剤、例えばアクリル系粘着剤等を用いた全幅１５〜３０ｍｍ程度の幅を持つ粘着面４が形成される。
尚、上記した粘着面４は基テープｃ１の全面に添着しているが、粘着面は図２−ｃにて示すブチルゴムテープｃ’’のように、ブチルゴム層１を貼着した部分を除き、同ブチルゴム層１の左右両側に粘着剤を添着して成る粘着面４’を設けてもよい。
【００１８】
また、本発明のブチルゴムテープは、図２（ｂ）及び図２（ｃ）にて示すテープｃ’，ｃ’’のように、基テープｃ１の粘着面４’に剥離材となるセパレータ７を被着し、同粘着面４’をカバーしている。このセパレータ７はシリコ−ンシート等、剥離性の良いシートやフィルム等を用いて成り、基テープｃ１の粘着面４’に塵が付着することを防止し、さらに網入りガラスｂ端面ｂ２にブチルゴムテープｃを被装する際には作業者の指に付着するのを防止して作業性を向上せしめる。尚、上記したセパレータ７を設けたブチルゴムテープｃ’，ｃ’’の場合、基テ−プｃ１表面の中央部、即ちブチルゴム層１と接する範囲にのみに剥離処理膜６を塗布するだけでよい。
【００１９】
上記した如く構成したブチルゴムテープｃを使用する際には、ロール状に巻いたブチルゴムテープｃを所要の長さに引き出して裁断し、同ブチルゴムテープｃの粘着側の中央に沿って設けたブチルゴム層１の中央を網入りガラスｂの端面ｂ２に載せて密着させる（図３）。この状態にてブチルゴムテープｃのブチルゴム層１の中央を上方から密着させ、網入りガラスｂ端面ｂ２に露呈する細孔ｂ３を密閉する。
尚、厚さが６．８ｍｍの網入りガラスの場合上記ブチルゴム層１の幅は５．５〜６．５ｍｍ程度、また、厚さが１０ｍｍの網入りガラスには７．５〜８．５ｍｍ程度のものが適当である。どちらの場合でも網入りガラスｂの端面の厚さよりもわずかに下回るように設定する（図３）。
次いで、ブチルゴム層１の両側部位を網入りガラスｂの端面へ向けてブチルゴム層１の厚さ分折り曲げ、さらに、ガラス端面に沿って接着し、両面へ向けて折り曲げる（図４，図５）。網入りガラスｂそれぞれの面に接着するテープｃは３ｍｍ〜５ｍｍ程度である。尚、基テープｃ１の粘着面４，４’にセパレータ７を貼着してある場合、この作業を行う前にセパレータ７を剥がしておく必要がある。
【００２０】
これにより、網入りガラスｂの端面ｂ２の水密を確実に維持できる。尚、図６は図２−ｃにて示すブチルゴムテープｃ’’の装着状態であり、基本的には同じ水密構造を持つ。
【００２１】
上記した如くブチルゴムテープｃを被装した網入りガラスｂは、四辺の外周部をアルミサッシの窓枠Ａの凹溝ａ１内に嵌装する（図１）。
本実施例の網入りガラス用防錆保護ブチルゴムテープｃによれば、網入りガラスｂの端面ｂ２に接着したブチルゴム層１の中央部を窓枠Ａの凹溝ａ１内の底部に突出するセッティングブロックａ１１に当接して圧着せしめる。そして、窓枠Ａの凹溝ａ１内にバックアップ材１０ａ及びガスケット１０ｂ（またはシール材）を充填して網入りガラスｂの各縁部と嵌装した窓枠Ａの凹溝ａ１内との間の水密を維持する。
上記したような作業では、べたつきにより作業性の悪いブチルゴムに殆ど触れることなく作業を進めることができる。よって、網入りガラスｂの装着時においてブチルゴムが作業者の手に付着してべたつくことや窓枠Ａの凹溝ａ１周囲に付着するのを防止して作業性と仕上がりを格段と向上することができる。
【００２２】
また、網入りガラスの端面ｂ２は、シール性のよいブチルゴム層１により全面的に被覆され、網入りガラスｂ端面ｂ２に形成される網ｂ１の露出部ｂ３が全て閉塞される。
尚、本発明にて用いるオレフィンゴムとはブチルゴム（イソブチレンを主体としたゴム）、エチレン−プロピレンゴム、アタクチックポリプロピレンゴム等の非架橋または低架橋のゴム状物が挙られる。これらは極性が殆どないので、防水性に優れ、未反応の二重結合点があまりないので、良好な耐候性、耐オゾン性を示す。これらの中でもブチルゴムは軟らかく密着性が良いため最も好ましい。
上記した如き本発明の網入りガラス用防錆保護テープは、網入りガラスだけではなく、防錆、防水用のテープとして使用することもできる。
【００２３】
【発明の効果】
本発明の網入りガラス用防錆保護テープは以上説明したように、基テープの片面に粘着面を設け、該粘着面の略中央に沿って網入りガラスの厚さ以下の幅となるオレフィンゴム層を添着し、該オレフィンゴム層の両側の粘着面に粘着層を露呈せしめて成るものである。
よって、上記したオレフィンゴム層を装着した網入りガラス用防錆保護テープを網入りガラスの外周縁部の端面に貼着することにより、網入りガラスの端面の中央に沿って基テープの粘着面の中央に貼り付けたオレフィンゴム層を確実に密着させることができ、これによりガラス端面の中央に沿って形成される網の露出部を全て閉塞することができる。
さらに、上記基テープに沿って設けたオレフィンゴム層の両側には粘着剤からなる粘着層を設けてある。よって、上記した如く断面凹状となってサッシのガラス装着溝内に装入されるオレフィンゴム層の露呈部位を基テープにより完全に被覆し、さらに上記粘着層がガラス面に密着してオレフィンゴム層を完全に密封し得る。
これにより、網入りガラスの周縁部をサッシのガラス装着溝内に装入する際に上記オレフィンゴムが作業者の手に付着する不具合を回避し、さらに装着中、及び装着後においてオレフィンゴムが作業者の手に付着することやサッシのガラス装着溝周囲に付着するのを防止して作業性と仕上がりを格段と向上できる。
【００２４】
請求項２記載の網入りガラス用防錆保護テープは、幅１５ｍｍ〜３０ｍｍの基テープの片面に粘着面を設け、該粘着面の中央に沿って５ｍｍ〜１０ｍｍの幅で０．０５ｍｍ〜２ｍｍの厚みのオレフィンゴム層を設け、その両側に各々５ｍｍ〜１０ｍｍの幅の粘着層を設けて成るものである。
現在使用されている網入りガラスは、６．８ｍｍの厚さのものと１０ｍｍの厚さのものとがある。
よって、上記した寸法の範囲内にオレフィンゴムの幅と厚みと粘着面の寸法を設定することにより、オレフィンゴム層を網入りガラスの略中央に位置する網の細孔を確実に被覆することができる。また、オレフィンゴムの両側に設けた粘着層が網入りガラスの端面から表裏両面に至る範囲に被着した状態となるため、上記したように現在使用されている６．８ｍｍと１０ｍｍの厚さの網入りガラスに使用した場合、網入りガラスの端面を過不足なく最適な状態でシールすることができる。
【００２５】
請求項３記載の発明は、上記した基テープとして、粘着面と反対の面に金属膜層と、該金属膜層の上に合成樹脂層を重ね合わせて成るものである。上記した金属膜は曲げた時の保形性がよく、特に現場施工時の作業性をよくすることができる。一方、金属膜層には皺が入りやすく、傷付きやすい特性がある。よって、金属膜層の上に合成樹脂層を重ね合わせることにより、これを防止することができる。
【００２６】
請求項４記載の発明は、請求項２乃至４における基テープは、金属膜層をアルミにて構成し、且つ合成樹脂層をポリエチレンテレフタレートから成るものである。作業手順が一定している工場内での施工時には金属層の存在はあまり意味を持たないので、傷付き難く皺の入り難いポリエチレンテレフタレートを表面に使用することにより、作業能率を向上させ、仕上がりの外観も良好である。
【００２７】
請求項５記載の発明は、上記基テープは、上記金属膜層をアルミにて構成し、且つ合成樹脂層をポリエチレンテレフタレートにより構成したものであるから、基テープを網入りガラスの端面の角に沿って折り曲げて保形し易くなり、また、ポリエチレンテレフタレートの折り曲げ易さと皺の入りにくい特性によりテープを貼った部位の仕上がりを向上することができる。また、アルミとのラミネートはポリエチレンテレフタレートが特によく作業性もよい。作業条件の悪い現場施工で好適に用いられる。
【００２８】
請求項６記載の網入りガラス用防錆保護テープは、基テープの粘着面の中央に沿って添着したオレフィンゴム層の両側に露呈する粘着面に所定厚さのセパレータを貼着して成るものである。よって、オレフィンゴムを他の粘着テープの如くロール状に巻回した状態において、同ロールの側面に露呈する部材に換わってセパレータの端面が露呈するので、ロール状に巻き取った状態において、オレフィンゴム層の側端面に塵が付着したり、作業者の手にオレフィンゴムの端面が付着したりする不具合を回避することができる。また、粘着層が空気に触れることがなくなるので、粘着面の粘着力の低下を防止できる。
【図面の簡単な説明】
【図１】本発明の網入りガラス用防錆保護テープの装着状態を示す縦断面図。
【図２】（ａ）は本発明を実施した網入りガラス用防錆保護テープを示す縦断面図、（ｂ）はセパレータを貼着した網入りガラス用防錆保護テープを示す縦断面図、（ｃ）はブチルゴム層を基フィルムに直接貼着したブチルゴムテープを示す縦断面図。
【図３】本発明の網入りガラス用防錆保護テープをガラスの端面に載置した状態を示す縦断面図。
【図４】同網入りガラス用防錆保護テープを断面略コ形に折り曲げた状態を示す縦断面図。
【図５】同網入りガラス用防錆保護テープをガラスの両面に密着させた状態を示す縦断面図。
【図６】図２−ｃの網入りガラス用防錆保護テープを装着した状態のサッシ凹溝周りの縦断面図。
【図７】従来のブチルゴムを用いてシールしたサッシ凹溝周りの縦断面図。
【符号の説明】
Ａ・・・窓枠（サッシ）
ａ１・・・凹溝
ｂ・・・網入りガラス
ｂ１・・・金網
ｂ２・・・ガラス端面
ｂ３・・・細孔
ｃ，ｃ’，ｃ’’・・・網入りガラス用防錆保護テープ
１・・・ブチルゴム層
２・・・ＰＥＴ層
３・・・アルミ層
４，４’・・・粘着面
６・・・剥離処理膜（剥離層）
７・・・セパレータ
【図１】
2004035776.tif 000003
【図２】
2004035776.tif 000004
【図３】
2004035776.tif 000005
【図４】
2004035776.tif 000006
【図５】
2004035776.tif 000007
【図６】
2004035776.tif 000008
【図７】
2004035776.tif 000009